(57)【要約】【課題】高品質な画像の記録が行える、インクジェットヘッドとインクジェット記録装置を提供する。【解決手段】インクジェットヘッドは、本体部と、振動板と、圧電素子を備える。本体部は、ノズルと、内部流路を含む。圧電素子は、積層型である。内部流路の圧力室では、第一内面及び第二内面は、第二方向の第一寸法が第三方向の第二寸法より長い形状を有する。圧電素子は、振動板の第一方向の第二側で、振動板の第一部分の内部領域に設けられる。第一部分は、第二内面を形成する。第一部分の内部領域は、第一内面の第二部分と第一方向に重なる第一部分の領域である。第二部分は、第二方向において流入口と流出口の間で且つ第三方向において第一内面の両端より中心側となる第一内面の部分であり、第二方向の第三寸法及び第二方向の第四寸法が第三方向の第五寸法及び第三方向の第六寸法より長くなる第一内面の部分である。【選択図】図４
2019111771.tif 000002
【特許請求の範囲】
【請求項１】
第一方向の第一側の端面にインクを吐出するノズルを含み、内部に前記ノズルに前記インクを流す内部流路を含む本体部と、
前記本体部の前記第一方向の第二側に設けられる振動板と、
前記第一方向に変形し、前記振動板の前記第一方向の第二側に設けられる積層型の圧電素子と、を備え、
前記内部流路は、
前記インクが流入する流入口と、前記流入口より前記第一方向に交差する第二方向の第三側に設けられ且つ前記インクが流出する流出口と、を含む圧力室と、
前記流入口に繋がり、前記圧力室に流入する前記インクが流れる第一流路部と、
前記流出口と前記ノズルとに繋がり、前記圧力室から流出し且つ前記ノズルから吐出される前記インクが流れる第二流路部と、を含み、
前記圧力室は、
前記第一方向の第一側に位置し、前記流入口と前記流出口とを含む第一内面と、
前記第一方向の第二側に位置し、前記第一内面と対向し、前記振動板の第一部分によって形成される第二内面と、
前記第一方向の第一側で前記第一内面と連続し且つ前記第一方向の第二側で前記第二内面と連続する、前記第一方向に沿った環状の第三内面と、を含み、
前記第一内面及び前記第二内面は、前記第二方向の第一寸法が前記第一方向及び前記第二方向の両方向に交差する第三方向の第二寸法より長い形状を有し、
前記圧電素子は、前記第一内面の第二部分と前記第一方向に重なる前記第一部分の内部領域に設けられ、
前記第二部分は、
前記第二方向において前記流入口と前記流出口との間で且つ前記第三方向において前記第一内面の両端より中心側となる、前記第一内面の部分であり、
前記圧電素子の前記第二方向の第三側端と前記第一内面の前記第二方向の第三側端との間の前記第二方向の第三寸法及び前記圧電素子の前記第二方向の第四側端と前記第一内面の前記第二方向の第四側端との間の前記第二方向の第四寸法が、前記圧電素子の前記第三方向の第五側端と前記第一内面の前記第三方向の第五側端との間の前記第三方向の第五寸法及び前記圧電素子の前記第三方向の第六側端と前記第一内面の前記第三方向の第六側端との間の前記第三方向の第六寸法より長くなる、前記第一内面の部分である、インクジェットヘッド。
【請求項２】
前記圧電素子は、前記第一方向の第一側及び第二側の各端面が正方形である四角柱形状を有する、請求項１に記載のインクジェットヘッド。
【請求項３】
前記第三内面は、
前記第三方向の第五側に位置し、前記第二方向に沿った第一壁部と、
前記第三方向の第六側に位置し、前記第一壁部と対向する前記第二方向に沿った第二壁部と、
前記第一壁部の前記第二方向の第三側端及び前記第二壁部の前記第二方向の第三側端と連続する第三壁部と、
前記第一壁部の前記第二方向の第四側端及び前記第二壁部の前記第二方向の第四側端と連続する第四壁部と、を含み、
前記第三壁部は、
前記第二方向の第四側から第三側に向けて前記第三方向の第五側から第六側に傾斜する第一平面部と、
前記第二方向の第四側から第三側に向けて前記第三方向の第六側から第五側に傾斜する第二平面部と、を含み、
前記第四壁部は、
前記第二方向の第三側から第四側に向けて前記第三方向の第五側から第六側に傾斜する第三平面部と、
前記第二方向の第三側から第四側に向けて前記第三方向の第六側から第五側に傾斜する第四平面部と、を含む、請求項１又は請求項２に記載のインクジェットヘッド。
【請求項４】
第一方向の第一側の端面にインクを吐出するノズルを含み、内部に前記ノズルに前記インクを流す内部流路を含む本体部と、
前記本体部の前記第一方向の第二側に設けられる振動板と、
前記第一方向に変形し、前記振動板の前記第一方向の第二側に設けられる圧電素子と、を備え、
前記内部流路は、
前記インクが流入する流入口と、前記流入口より前記第一方向に交差する第二方向の第三側に設けられ且つ前記インクが流出する流出口と、を含む圧力室と、
前記流入口に繋がり、前記圧力室に流入する前記インクが流れる第一流路部と、
前記流出口と前記ノズルとに繋がり、前記圧力室から流出し且つ前記ノズルから吐出される前記インクが流れる第二流路部と、を含み、
前記圧力室は、
前記第一方向の第一側に位置し、前記流入口と前記流出口とを含む第一内面と、
前記第一方向の第二側に位置し、前記第一内面と対向し、前記振動板の部分によって形成される第二内面と、
前記第一方向の第一側で前記第一内面と連続し且つ前記第一方向の第二側で前記第二内面と連続する、前記第一方向に沿った環状の第三内面と、を含み、
前記第三内面は、
前記第三方向の第五側に位置し、前記第二方向に沿った第一壁部と、
前記第三方向の第六側に位置し、前記第一壁部と対向する前記第二方向に沿った第二壁部と、
前記第一壁部の前記第二方向の第三側端及び前記第二壁部の前記第二方向の第三側端と連続する第三壁部と、
前記第一壁部の前記第二方向の第四側端及び前記第二壁部の前記第二方向の第四側端と連続する第四壁部と、を含み、
前記第三壁部は、
前記第二方向の第四側から第三側に向けて前記第三方向の第五側から第六側に傾斜する第一平面部と、
前記第二方向の第四側から第三側に向けて前記第三方向の第六側から第五側に傾斜する第二平面部と、を含み、
前記第四壁部は、
前記第二方向の第三側から第四側に向けて前記第三方向の第五側から第六側に傾斜する第三平面部と、
前記第二方向の第三側から第四側に向けて前記第三方向の第六側から第五側に傾斜する第四平面部と、を含む、インクジェットヘッド。
【請求項５】
前記圧電素子は、
積層型の圧電素子であり、
前記第一方向の第一側及び第二側の各端面が正方形である四角柱形状を有する、請求項４に記載のインクジェットヘッド。
【請求項６】
請求項１から請求項５の何れか１項に記載のインクジェットヘッドを備えるインクジェット記録装置。
【発明の詳細な説明】
【技術分野】
【０００１】
本発明は、インクジェットヘッドとインクジェット記録装置に関する。
【背景技術】
【０００２】
インクジェット記録装置のインクジェットヘッドに関する技術が提案されている。例えば、特許文献１には、液体吐出ヘッドが開示されている。液体吐出ヘッドは、流路板と、振動板部材と、ノズル板を有する。液滴吐出ヘッドでは、複数のノズルが連通路を介して複数の圧力発生室にそれぞれ連通する。液滴吐出ヘッドでは、振動板部材に流入口が形成される。インクは、共通液室から流入口と導入部及び供給路を介して圧力発生室に供給される。振動板部材は、振動領域と、島状凸部を有する。振動領域は、圧力発生室の壁面を形成する。島状凸部は、振動領域に形成される。島状凸部には、積層型圧電部材の第一圧電素子柱が接合される。圧電部材は、電気機械変換素子であり、櫛歯状に第一圧電素子柱及び第二圧電素子柱を形成したものである。第一圧電素子柱には、駆動波形が印加される。第一圧電素子柱は、駆動圧電素子柱となる。第二圧電素子柱には、駆動波形は印加されない。第二圧電素子柱は、非駆動圧電素子柱となる。複数の連通管及び複数の圧力発生室は、それぞれノズル配列方向に沿って千鳥状に配置される。隣接する２個の圧力発生室は、圧力発生室の長手方向にずれた千鳥状である。液体吐出ヘッドでは、圧電部材（第一圧電素子柱及び第二圧電素子柱）の圧力発生室の長手方向の長さは、千鳥配列された圧力発生室全体の長手方向の長さよりも長くなる。特許文献１では、電気機械変換素子として、ｄ３３方向に変位する圧電素子であれば、変位する活性領域を十分長く取ることができる、とされている。
【０００３】
特許文献２には、インクジェットヘッドが開示されている。インクジェットヘッドは、ノズルと、流路と、圧力発生手段と、駆動手段を有する。ノズルは、インクを吐出する。流路は、ノズルにインクを供給する。圧力発生手段は、インクを付勢してインク滴をノズルより吐出させる。駆動手段は、圧力発生手段に電気信号を印加する。圧力発生手段として、マイクロアクチュエータが用いられる。マイクロアクチュエータは、積層圧電素子と、圧力伝達部材によって構成される。積層圧電素子は、圧電材料と導電材料を交互に積層して形成される。積層圧電素子は、圧力伝達部材と接合される。積層圧電素子の次の端面は、凹形状又は凸形状とされる。前述の端面は、圧力伝達部材と接合される積層圧電素子の端面である。この他、圧力伝達部材の次の面は、凹形状又は凸形状とされる。前述の面は、積層圧電素子と接合される圧力伝達部材の面である。
【０００４】
特許文献３には、インクジェット記録ヘッドが開示されている。インクジェット記録ヘッドは、キャビティユニットの上に、圧電式のアクチュエータユニットを積層して接着した構造である。キャビティユニットは、複数のプレートを積層した構造を有する。上層のプレートは、圧力室を備える。圧力室は、平面形においてほぼ平行四辺形の形状を有する。即ち、圧力室は、平行な一対の長い第一稜線と、短い平行な一対の第二稜線で囲まれた形状を有する。第二稜線は、第一稜線に対して傾斜する。圧力室は、第一稜線と第二稜線のなす一方の鋭角部には、第一連通孔を備え、他方の鋭角部には、第二連通孔を備える。第一連通孔は、吐出ノズルに接続する。第二連通孔は、マニホールド流路に接続する。マニホールド流路は、インク供給源に接続する。インクジェット記録ヘッドでは、アクチュエータユニットの個別電極は、圧力室の投影形状よりも少し小さい相似形とされる。従って、アクチュエータの圧力発生部は、同じ形状となる。
【先行技術文献】
【特許文献】
【０００５】
【特許文献１】特開２０１１−１３１５７１号公報
【特許文献２】特開平６−１８８４７２号公報
【特許文献３】特開２００２−２９２８６０号公報
【発明の概要】
【発明が解決しようとする課題】
【０００６】
インクジェット記録装置は、インクジェットヘッドのノズルからインクを吐出し、記録媒体に画像を高品質に記録することができる。インクジェットヘッドには、圧電素子が内部流路の圧力室に対応させて設けられる。圧電素子としては、ｄ３３モードの積層型の圧電素子が例示される。インクの吐出は、圧電素子を変形させることで行われる。内部流路は、インクジェットヘッドの内部に形成された流路である。インクジェットヘッドに供給されたインクは、内部流路を流れる。内部流路は、ノズルへと繋がる。圧力室は、内部流路の途中に設けられる。圧力室では、圧電素子の変形に伴い、容積が変化する。従って、圧力室のインクには、圧電素子の変形に伴う圧力が作用する。前述の圧力は、圧力室のインク内を伝播する。これに伴い、インクは、圧力室から流出し、圧力室とノズルを繋ぐ内部流路の部分を流れ、ノズルから吐出される。
【０００７】
インクジェット記録装置では、画像の記録に種々のインクが用いられる。例えば、高粘度のインクが用いられることもある。高粘度のインクとしては、紫外線硬化型インクが例示される。発明者は、インクの粘度が高くなるに従い、圧電素子の変形に伴う圧力がインク内を伝播し難くなると考えた。その結果、発明者は、高粘度のインクでは、インクの吐出不良が生じ易くなると考えた。そこで、発明者は、インクの粘度に関わらず、スムーズな圧力伝播を可能とし、インクの吐出不良を低減可能なインクジェットヘッドについて検討した。このようなインクジェットヘッドによれば、画像を高品質に記録することができる。
【０００８】
本発明は、高品質な画像の記録が行える、インクジェットヘッドとインクジェット記録装置を提供することを目的とする。
【課題を解決するための手段】
【０００９】
本発明の一側面は、第一方向の第一側の端面にインクを吐出するノズルを含み、内部に前記ノズルに前記インクを流す内部流路を含む本体部と、前記本体部の前記第一方向の第二側に設けられる振動板と、前記第一方向に変形し、前記振動板の前記第一方向の第二側に設けられる積層型の圧電素子と、を備え、前記内部流路は、前記インクが流入する流入口と、前記流入口より前記第一方向に交差する第二方向の第三側に設けられ且つ前記インクが流出する流出口と、を含む圧力室と、前記流入口に繋がり、前記圧力室に流入する前記インクが流れる第一流路部と、前記流出口と前記ノズルとに繋がり、前記圧力室から流出し且つ前記ノズルから吐出される前記インクが流れる第二流路部と、を含み、前記圧力室は、前記第一方向の第一側に位置し、前記流入口と前記流出口とを含む第一内面と、前記第一方向の第二側に位置し、前記第一内面と対向し、前記振動板の第一部分によって形成される第二内面と、前記第一方向の第一側で前記第一内面と連続し且つ前記第一方向の第二側で前記第二内面と連続する、前記第一方向に沿った環状の第三内面と、を含み、前記第一内面及び前記第二内面は、前記第二方向の第一寸法が前記第一方向及び前記第二方向の両方向に交差する第三方向の第二寸法より長い形状を有し、前記圧電素子は、前記第一内面の第二部分と前記第一方向に重なる前記第一部分の内部領域に設けられ、前記第二部分は、前記第二方向において前記流入口と前記流出口との間で且つ前記第三方向において前記第一内面の両端より中心側となる、前記第一内面の部分であり、前記圧電素子の前記第二方向の第三側端と前記第一内面の前記第二方向の第三側端との間の前記第二方向の第三寸法及び前記圧電素子の前記第二方向の第四側端と前記第一内面の前記第二方向の第四側端との間の前記第二方向の第四寸法が、前記圧電素子の前記第三方向の第五側端と前記第一内面の前記第三方向の第五側端との間の前記第三方向の第五寸法及び前記圧電素子の前記第三方向の第六側端と前記第一内面の前記第三方向の第六側端との間の前記第三方向の第六寸法より長くなる、前記第一内面の部分である、インクジェットヘッドである。
【００１０】
このインクジェットヘッドによれば、圧電素子の変形量を大きくすることができる。圧電素子の底面積が振動板の第一部分の面積より小さくなる。圧力室のインク内で、圧電素子の変形に伴う圧力を伝播させることができる。圧力室でのインクの流れに関し、第三方向より第二方向にインクを流し易くすることができる。圧電素子の変形に伴い、圧力室のインクを第二方向に流すことができる。圧力室のインクを流出口から流出することができる。ノズルからインクを吐出することができる。粘度の高いインクについても、ノズルから吐出することができる。
【００１１】
インクジェットヘッドでは、前記圧電素子は、前記第一方向の第一側及び第二側の各端面が正方形である四角柱形状を有する、ようにしてもよい。この構成によれば、圧電素子を振動板の第一部分の内部領域に取り付ける場合、圧電素子の端面を形成する正方形の各辺と第二方向及び第三方向の関係に留意することなく、圧電素子を取り扱うことができる。インクジェットヘッドの組み立てを容易にすることができる。
【００１２】
インクジェットヘッドでは、前記第三内面は、前記第三方向の第五側に位置し、前記第二方向に沿った第一壁部と、前記第三方向の第六側に位置し、前記第一壁部と対向する前記第二方向に沿った第二壁部と、前記第一壁部の前記第二方向の第三側端及び前記第二壁部の前記第二方向の第三側端と連続する第三壁部と、前記第一壁部の前記第二方向の第四側端及び前記第二壁部の前記第二方向の第四側端と連続する第四壁部と、を含み、前記第三壁部は、前記第二方向の第四側から第三側に向けて前記第三方向の第五側から第六側に傾斜する第一平面部と、前記第二方向の第四側から第三側に向けて前記第三方向の第六側から第五側に傾斜する第二平面部と、を含み、前記第四壁部は、前記第二方向の第三側から第四側に向けて前記第三方向の第五側から第六側に傾斜する第三平面部と、前記第二方向の第三側から第四側に向けて前記第三方向の第六側から第五側に傾斜する第四平面部と、を含む、ようにしてもよい。この構成によれば、インクの吐出時、圧電素子に印可される駆動信号の電圧値を低下させることができる。低電圧の駆動信号にて、ノズルからインクを吐出することができる。
【００１３】
本発明の他の側面は、第一方向の第一側の端面にインクを吐出するノズルを含み、内部に前記ノズルに前記インクを流す内部流路を含む本体部と、前記本体部の前記第一方向の第二側に設けられる振動板と、前記第一方向に変形し、前記振動板の前記第一方向の第二側に設けられる圧電素子と、を備え、前記内部流路は、前記インクが流入する流入口と、前記流入口より前記第一方向に交差する第二方向の第三側に設けられ且つ前記インクが流出する流出口と、を含む圧力室と、前記流入口に繋がり、前記圧力室に流入する前記インクが流れる第一流路部と、前記流出口と前記ノズルとに繋がり、前記圧力室から流出し且つ前記ノズルから吐出される前記インクが流れる第二流路部と、を含み、前記圧力室は、前記第一方向の第一側に位置し、前記流入口と前記流出口とを含む第一内面と、前記第一方向の第二側に位置し、前記第一内面と対向し、前記振動板の部分によって形成される第二内面と、前記第一方向の第一側で前記第一内面と連続し且つ前記第一方向の第二側で前記第二内面と連続する、前記第一方向に沿った環状の第三内面と、を含み、前記第三内面は、前記第三方向の第五側に位置し、前記第二方向に沿った第一壁部と、前記第三方向の第六側に位置し、前記第一壁部と対向する前記第二方向に沿った第二壁部と、前記第一壁部の前記第二方向の第三側端及び前記第二壁部の前記第二方向の第三側端と連続する第三壁部と、前記第一壁部の前記第二方向の第四側端及び前記第二壁部の前記第二方向の第四側端と連続する第四壁部と、を含み、前記第三壁部は、前記第二方向の第四側から第三側に向けて前記第三方向の第五側から第六側に傾斜する第一平面部と、前記第二方向の第四側から第三側に向けて前記第三方向の第六側から第五側に傾斜する第二平面部と、を含み、前記第四壁部は、前記第二方向の第三側から第四側に向けて前記第三方向の第五側から第六側に傾斜する第三平面部と、前記第二方向の第三側から第四側に向けて前記第三方向の第六側から第五側に傾斜する第四平面部と、を含む、インクジェットヘッドである。
【００１４】
このインクジェットヘッドによれば、インクの吐出時、圧電素子に印可される駆動信号の電圧値を低下させることができる。低電圧の駆動信号にて、ノズルからインクを吐出することができる。
【００１５】
インクジェットヘッドでは、前記圧電素子は、積層型の圧電素子であり、前記第一方向の第一側及び第二側の各端面が正方形である四角柱形状を有する、ようにしてもよい。この構成によれば、圧電素子の変形量を大きくすることができる。圧電素子を振動板の第一部分の内部領域に取り付ける場合、圧電素子の端面を形成する正方形の各辺と第二方向及び第三方向の関係に留意することなく、圧電素子を取り扱うことができる。インクジェットヘッドの組み立てを容易にすることができる。
【００１６】
本発明の更に他の側面は、上述した何れかのインクジェットヘッドを備えるインクジェット記録装置である。このインクジェット記録装置によれば、上述した機能を奏するインクジェット記録装置とすることができる。
【発明の効果】
【００１７】
本発明によれば、高品質な画像の記録が行える、インクジェットヘッドとインクジェット記録装置を得ることができる。
【図面の簡単な説明】
【００１８】
【図１】インクジェット記録装置の概略構成の一例を示す斜視図である。
【図２】インクジェットヘッドの概略構成の一例を示す平面図である。
【図３】図２に示すＡ−Ａ線断面図である。第一状態は、圧電素子と振動板が未変形である状態を示す。第二状態は、圧電素子と振動板が第一方向の第一側に変形している状態を示す。
【図４】圧力室の概略構成の一例を模式的に示す斜視図である。図示範囲は、インクジェットヘッドの一部で、１個の圧力室に対応する。圧力室の第三内面の第一壁部の一部を切断した状態を示す。振動板の第一部分及び圧力室の第一内面の第二部分を示す。圧力室に対する圧電素子の第二方向及び第三方向の配置を示す。上段は、圧電素子、振動板の一部及び圧力室を個別に示す。下段は、上段に示す各部をインクジェットヘッドとして組み立てた状態を示す。
【図５】インクジェットヘッドの概略構成の他の例を示す平面図である。
【図６】インクジェットヘッドの概略構成の更に他の例を示す平面図である。
【発明を実施するための形態】
【００１９】
本発明を実施するための実施形態について、図面を用いて説明する。本発明は、以下に記載の構成に限定されるものではなく、同一の技術的思想において種々の構成を採用することができる。例えば、以下に示す構成の一部は、省略し又は他の構成等に置換してもよい。他の構成を含むようにしてもよい。実施形態の各図で、ハッチングは、切断面を示す。破線は、かくれ線である。２点鎖線は、想像線である。１点鎖線は、中心線である。１点鎖線は、例えば、切断位置及び複数の構成の配置状態（位置関係）を示す。
【００２０】
＜インクジェット記録装置＞
インクジェット記録装置１０について、図１〜図３を参照して説明する。インクジェット記録装置１０では、各種の記録媒体１５が搬送され、記録媒体１５に画像が記録される（図１参照）。記録媒体１５としては、布帛又は建築用資材が例示される。実施形態では、記録媒体１５は、長尺とされている。但し、記録媒体は、短尺であってもよい。画像の記録に用いるインクは、例えば、ブラック、マゼンタ、イエロー及びシアンの４色である。但し、これら各色のインクとは異なる色のインクを用いてもよい。インク色数は、３色以下又は５色以上としてもよい。
【００２１】
インクジェット記録装置１０は、搬送部２０と、インクジェットヘッド３０Ｋ，３０Ｍ，３０Ｙ，３０Ｃと、キャリッジ６０と、移動部６５と、メインタンク７０Ｋ，７０Ｍ，７０Ｙ，７０Ｃと、供給流路７１Ｋ，７１Ｍ，７１Ｙ，７１Ｃと、サブタンク７２Ｋ，７２Ｍ，７２Ｙ，７２Ｃと、接続流路７３Ｋ，７３Ｍ，７３Ｙ，７３Ｃと、制御装置８０を備える（図１参照）。
【００２２】
搬送部２０は、記録媒体１５を搬送する。インクジェット記録装置１０では、搬送部２０による記録媒体１５の搬送は、間欠的に行われる。搬送部２０は、ベルトコンベアである。搬送部２０は、公知のインクジェット記録装置の搬送部と同様である。従って、搬送部２０に関するこの他の説明は、省略する。
【００２３】
インクジェットヘッド３０Ｋは、ブラックインクを吐出するインクジェットヘッドである。インクジェットヘッド３０Ｍは、マゼンタインクを吐出するインクジェットヘッドである。インクジェットヘッド３０Ｙは、イエローインクを吐出するインクジェットヘッドである。インクジェットヘッド３０Ｃは、シアンインクを吐出するインクジェットヘッドである。インクジェットヘッド３０Ｋ，３０Ｍ，３０Ｙ，３０Ｃによれば、記録媒体１５に、フルカラーの画像を記録することができる。図１で、インクジェットヘッド３０Ｋ，３０Ｍ，３０Ｙ，３０Ｃより第三方向の第六側に図示された記録媒体１５の部分に付した模様は、記録媒体１５に記録された画像に対応する。第三方向及び第六側については、後述する。
【００２４】
インクジェットヘッド３０Ｋ，３０Ｍ，３０Ｙ，３０Ｃは、同様の構成を有する。実施形態では、インクジェットヘッド３０Ｋ，３０Ｍ，３０Ｙ，３０Ｃを区別しない場合、又はこれらを総称する場合、「インクジェットヘッド３０」という。インクジェットヘッド３０には、対応する色のインクを吐出する複数のノズル３１が形成される（図２及び図３参照）。インクジェットヘッド３０では、複数のノズル３１は、第一方向の第一側となる端面に形成される。実施形態では、第一方向は、鉛直方向に一致し、第一方向の第一側は、鉛直方向の下側となる（図１、図３及び後述する図４参照）。鉛直方向の上側となる第一方向の第一側とは反対側を「第二側」という。インクジェットヘッド３０で、複数のノズル３１が形成される第一方向の第一側の端面を「第一面３２」という。
【００２５】
インクジェットヘッド３０では、複数のノズル３１は、第一面３２で第三方向に配列される（図２参照）。第三方向は、第一方向及び後述する第二方向の両方向に交差する。実施形態では、第三方向は、第一方向及び第二方向の両方向に直交する（図１参照）。インクジェット記録装置１０では、第三方向は、搬送方向に沿った方向に一致する。搬送方向は、搬送部２０によって記録媒体１５が搬送される方向である。第三方向の一方側を「第五側」といい、第三方向の他方側を「第六側」という。搬送方向は、第三方向の第五側から第六側に向かう方向となる。第三方向の第五側は、搬送方向の上流側に一致する。第三方向の第六側は、搬送方向の下流側に一致する。第三方向は、副走査方向と称されることもある。インクジェットヘッド３０に関するこの他の説明は、後述する。図１では、インクジェットヘッド３０Ｋ，３０Ｍ，３０Ｙ，３０Ｃの図示は、簡略化されている。
【００２６】
キャリッジ６０には、インクジェットヘッド３０Ｋ，３０Ｍ，３０Ｙ，３０Ｃが第二方向に隣り合った状態で、並んで搭載される。インクジェットヘッド３０Ｋ，３０Ｍ，３０Ｙ，３０Ｃの配列順序は、図１とは異なる順序としてもよい。これらの配列順序は、諸条件を考慮して適宜決定される。第二方向は、第一方向に交差する。実施形態では、第二方向は、第一方向に直交する（図１参照）。第二方向は、上記から明らかな通り、第三方向にも直交する。従って、インクジェット記録装置１０では、第二方向は、搬送方向に沿った方向に直交する。第二方向は、主走査方向と称されることもある。インクジェット記録装置１０では、インクジェットヘッド３０Ｋ，３０Ｍ，３０Ｙ，３０Ｃは、第一面３２が水平となる状態で、キャリッジ６０に搭載される。
【００２７】
移動部６５は、キャリッジ６０を第二方向に往復移動させる。移動部６５は、２個のプーリ６６，６７と、タイミングベルト６８と、モータ６９を備える。プーリ６６は、搬送部２０を基準として、第二方向の第三側に設けられる。プーリ６７は、搬送部２０を基準として、第二方向の第四側に設けられる。プーリ６７は、回転自在に支持される。タイミングベルト６８は、張力が作用した状態で、プーリ６６，６７に架け渡される。モータ６９は、プーリ６６に連結される。モータ６９としては、例えば、エンコーダ付きのサーボモータが採用される。モータ６９は、プーリ６６を回転させる。図１で、プーリ６６の内部に示す矢印は、プーリ６６の回転方向を示す。キャリッジ６０は、ステー６１を介してタイミングベルト６８に取り付けられる。
【００２８】
メインタンク７０Ｋは、ブラックインクを貯留する。供給流路７１Ｋは、メインタンク７０Ｋとサブタンク７２Ｋを接続する。サブタンク７２Ｋは、キャリッジ６０上でインクジェットヘッド３０Ｋの第一方向の第二側に設けられる。サブタンク７２Ｋは、インクジェットヘッド３０Ｋに供給されるブラックインクを副次的に貯留する。接続流路７３Ｋは、サブタンク７２Ｋとインクジェットヘッド３０Ｋを接続する。メインタンク７０Ｋに貯留されたブラックインクは、メインタンク７０Ｋから流出し、供給流路７１Ｋを流れてサブタンク７２Ｋに供給される。その後、ブラックインクは、接続流路７３Ｋを流れてインクジェットヘッド３０Ｋに供給される。
【００２９】
メインタンク７０Ｍは、マゼンタインクを貯留する。供給流路７１Ｍは、メインタンク７０Ｍとサブタンク７２Ｍを接続する。サブタンク７２Ｍは、キャリッジ６０上でインクジェットヘッド３０Ｍの第一方向の第二側に設けられる。サブタンク７２Ｍは、インクジェットヘッド３０Ｍに供給されるマゼンタインクを副次的に貯留する。接続流路７３Ｍは、サブタンク７２Ｍとインクジェットヘッド３０Ｍを接続する。メインタンク７０Ｍに貯留されたマゼンタインクは、メインタンク７０Ｍから流出し、供給流路７１Ｍを流れてサブタンク７２Ｍに供給される。その後、マゼンタインクは、接続流路７３Ｍを流れてインクジェットヘッド３０Ｍに供給される。
【００３０】
メインタンク７０Ｙは、イエローインクを貯留する。供給流路７１Ｙは、メインタンク７０Ｙとサブタンク７２Ｙを接続する。サブタンク７２Ｙは、キャリッジ６０上でインクジェットヘッド３０Ｙの第一方向の第二側に設けられる。サブタンク７２Ｙは、インクジェットヘッド３０Ｙに供給されるイエローインクを副次的に貯留する。接続流路７３Ｙは、サブタンク７２Ｙとインクジェットヘッド３０Ｙを接続する。メインタンク７０Ｙに貯留されたイエローインクは、メインタンク７０Ｙから流出し、供給流路７１Ｙを流れてサブタンク７２Ｙに供給される。その後、イエローインクは、接続流路７３Ｙを流れてインクジェットヘッド３０Ｙに供給される。
【００３１】
メインタンク７０Ｃは、シアンインクを貯留する。供給流路７１Ｃは、メインタンク７０Ｃとサブタンク７２Ｃを接続する。サブタンク７２Ｃは、キャリッジ６０上でインクジェットヘッド３０Ｃの第一方向の第二側に設けられる。サブタンク７２Ｃは、インクジェットヘッド３０Ｃに供給されるシアンインクを副次的に貯留する。接続流路７３Ｃは、サブタンク７２Ｃとインクジェットヘッド３０Ｃを接続する。メインタンク７０Ｃに貯留されたシアンインクは、メインタンク７０Ｃから流出し、供給流路７１Ｃを流れてサブタンク７２Ｃに供給される。その後、シアンインクは、接続流路７３Ｃを流れてインクジェットヘッド３０Ｃに供給される。
【００３２】
図１では、供給流路７１Ｋ，７１Ｍ，７１Ｙ，７１Ｃは、簡略化された状態で図示されている。供給流路７１Ｋ，７１Ｍ，７１Ｙ，７１Ｃは、移動部６５によるキャリッジ６０の第二方向への移動に対応可能な状態で設けられる。実施形態では、接続流路７３Ｋ，７３Ｍ，７３Ｙ，７３Ｃを区別しない場合、又はこれらを総称する場合、「接続流路７３」という。
【００３３】
制御装置８０は、制御部８１と、ヘッド駆動部８２と、スイッチ部８３を備える。図１では、制御部８１とヘッド駆動部８２とスイッチ部８３は、制御装置８０としてまとまった状態で図示されている。但し、制御装置８０のこれら各部は、例えば、制御ボックスのような単一の筐体内に設けられていなくてもよい。例えば、スイッチ部８３は、インクジェットヘッド３０Ｋ，３０Ｍ，３０Ｙ，３０Ｃに近い位置で、インクジェットヘッド３０Ｋ，３０Ｍ，３０Ｙ，３０Ｃに対してそれぞれ設けられていてもよい。
【００３４】
制御部８１は、インクジェット記録装置１０で実行される各種の動作を制御する。制御部８１は、例えば、プロセッサと、ストレージと、メモリを含む。ヘッド駆動部８２は、振動板５７に電気的に接続されたヘッド駆動回路である。ヘッド駆動部８２は、所定の電圧値の駆動信号を所定の周期で出力する。ヘッド駆動部８２から出力された駆動信号は、振動板５７に印加される。駆動信号は、所定の電圧値の電気パルス信号である。スイッチ部８３は、複数の圧電素子５８にそれぞれ電気的に接続されたスイッチ回路である。スイッチ部８３は、複数の圧電素子５８の全部又は一部に対応したスイッチを含む。例えば、１個のインクジェットヘッド３０に４個の圧電素子５８が設けられているとする。１個のスイッチ部８３に含まれるスイッチが２個である場合、スイッチ部８３は、１個のインクジェットヘッド３０に対して２個設けられる。１個のスイッチ部８３に含まれるスイッチが４個である場合、スイッチ部８３は、１個のインクジェットヘッド３０に対して１個設けられる。振動板５７及び圧電素子５８については、後述する。
【００３５】
インクジェット記録装置１０で記録媒体１５に画像が記録される場合、移動部６５と搬送部２０は、次のように動作する。移動部６５では、モータ６９が時計回りと反時計回りに往復して回転する。モータ６９の回転に伴い、プーリ６６が左右両側に往復して回転する。モータ６９が所定の方向に回転することでプーリ６６が左回転すると、タイミングベルト６８も左回転する。プーリ６７は、左回転するタイミングベルト６８に従動して回転する。これに伴い、キャリッジ６０は、第二方向の第四側から第三側に移動する。キャリッジ６０が第二方向の第三側の移動端に到達すると、モータ６９の回転方向は反転し、プーリ６６は、右回転する。プーリ６６が右回転すると、タイミングベルト６８も右回転する。プーリ６７は、右回転するタイミングベルト６８に従動して回転する。これに伴い、キャリッジ６０は、第二方向の第三側から第四側に移動する。キャリッジ６０が第二方向の第四側の移動端に到達すると、モータ６９の回転方向は再度反転し、プーリ６６は、再度左回転する。
【００３６】
搬送部２０は、キャリッジ６０の第二方向の第四側から第三側への移動と、キャリッジ６０の第二方向の第三側から第四側への移動に対応させて、記録媒体１５を搬送方向に搬送する。即ち、搬送部２０による記録媒体１５の搬送は、前述したキャリッジ６０の第二方向への各移動に応じて間欠的に行われる。各色のインクは、キャリッジ６０が第二方向に移動している所定のタイミングでインクジェットヘッド３０Ｋ，３０Ｍ，３０Ｙ，３０Ｃの各ノズル３１から記録媒体１５に向けて吐出される。インクジェットヘッド３０Ｋ，３０Ｍ，３０Ｙ，３０Ｃの各ノズル３１から吐出された各色のインクは、記録媒体１５の表面に着弾する。これに伴い、記録媒体１５の表面には、画像が記録される。
【００３７】
移動部６５は、画像の記録が終了するまで動作する。従って、キャリッジ６０の第二方向への往復移動は、画像の記録が終了するまで繰り返される。搬送部２０は、画像の記録が終了した後、所定のタイミングで停止する。搬送部２０の停止に伴い、記録媒体１５の搬送も、終了する。
【００３８】
＜インクジェットヘッド＞
インクジェットヘッド３０について、図２〜図４を参照して説明する。インクジェットヘッド３０は、本体部３３と、振動板５７と、複数の圧電素子５８と、複数の拘束部５９を備える（図２参照）。インクジェットヘッド３０では、本体部３３と振動板５７は、一体的な構成とされる。振動板５７は、１個の本体部３３と複数の圧電素子５８に対して１枚設けられる。インクジェットヘッド３０では、ノズル３１と圧電素子５８と拘束部５９は、同じ数だけ設けられる。即ち、複数の拘束部５９は、１個の圧電素子５８に対して１個設けられる。複数の圧電素子５８は、１個のノズル３１に対して１個設けられる。インクジェットヘッド３０では、ノズル３１の数は、４個とされている。従って、インクジェットヘッド３０は、圧電素子５８と拘束部５９を各４個備える。４個の圧電素子５８は、同様の構成である。４個の拘束部５９は、同様の構成である。
【００３９】
インクジェットヘッド３０がキャリッジ６０に搭載された状態で、第一方向の第一側となる本体部３３の端面は、インクジェットヘッド３０の第一面３２となる。従って、実施形態では、インクジェットヘッド３０の第一面３２となる本体部３３の端面も「第一面３２」という。インクジェットヘッド３０がキャリッジ６０に搭載された状態で、第一方向の第二側となる本体部３３の端面を「第二面３４」という。
【００４０】
本体部３３には、第一面３２に複数のノズル３１が形成される。インクジェットヘッド３０では、４個のノズル３１が第三方向に等間隔で１列に配置されている。但し、このようなノズル３１の数及び配置は、例示である。ノズル３１の数及び配置は、諸条件を考慮して適宜決定される。本体部３３には、供給口３５と内部流路３６が形成される。供給口３５は、接続流路７３と接続される。接続流路７３を流れたインクは、供給口３５を通過してインクジェットヘッド３０に供給される。内部流路３６は、供給口３５と複数のノズル３１を繋ぐ。供給口３５から流入したインクは、内部流路３６を流れて複数のノズル３１に到達する。
【００４１】
内部流路３６は、本流部３７と、複数の支流部３８を含む（図３参照）。本流部３７は、供給口３５から連続した流路である。本流部３７は、複数のノズル３１に対応した状態で形成される。即ち、本流部３７は、複数のノズル３１と同じく第三方向に形成される。供給口３５から流入したインクは、本流部３７を流れる。複数の支流部３８は、本流部３７から分岐した流路である。複数の支流部３８は、複数のノズル３１にそれぞれ繋がる。本流部３７から流入したインクは、支流部３８をそれぞれ流れて各ノズル３１に到達する。
【００４２】
支流部３８は、圧力室３９と、第一流路部５５と、第二流路部５６を含む。即ち、１組の圧力室３９、第一流路部５５及び第二流路部５６は、１本の支流部３８を形成する。圧力室３９は、流入口４０と、流出口４１を含む。流入口４０は、圧力室３９へのインクの入口となる。流出口４１は、圧力室３９からのインクの出口となる。流出口４１は、流入口４０より第二方向の第三側に設けられる。流入口４０から流入したインクは、圧力室３９を第二方向の第四側から第三側に流れて流出口４１から流出する。本体部３３では、圧力室３９の第一方向の第二側は、第二面３４で開口した状態となる（図４上段参照）。
【００４３】
インクジェットヘッド３０では、流入口４０と流出口４１は、第一基準線Ｌ１上に並んで設けられる。第一基準線Ｌ１は、第一内面４２の第三方向の中心位置を通る第二方向に沿った中心線（仮想直線）である（図４上段参照）。インクジェットヘッド３０では、第七寸法Ｄ７及び第八寸法Ｄ８は、同一値に設定されている（Ｄ７＝Ｄ８）。第二基準線Ｌ２は、第一内面４２の第二方向の中心位置を通る第三方向に沿った中心線（仮想直線）である（図４上段参照）。第七寸法Ｄ７は、第二基準線Ｌ２から流入口４０の中心位置までの第二方向の距離である。第八寸法Ｄ８は、第二基準線Ｌ２から流出口４１の中心位置までの第二方向の距離である。
【００４４】
第一流路部５５は、本流部３７と流入口４０に繋がる。即ち、第一流路部５５は、本流部３７と圧力室３９を繋ぐ。本流部３７から流入したインクは、第一流路部５５を流れて圧力室３９に流入する。第二流路部５６は、流出口４１とノズル３１に繋がる。即ち、第二流路部５６は、流出口４１とノズル３１を繋ぐ。圧力室３９から流出したインクは、第二流路部５６を流れてノズル３１に到達する。
【００４５】
振動板５７は、本体部３３の第一方向の第二側に設けられる。例えば、振動板５７は、第二面３４に貼り付けられる。振動板５７は、第二面３４上で、上述した開口状態となる圧力室３９の第一方向の第二側を被覆する（図４下段参照）。実施形態では、開口した圧力室３９の第一方向の第二側に対応する振動板５７の部分を「第一部分Ｐ１」という（図３及び図４参照）。図４に示す振動板５７で、網点模様を付した立体的な部分（２点鎖線）は、第一部分Ｐ１に対応する。第一部分Ｐ１は、圧力室３９の第二内面４３を形成する。第二内面４３については、後述する。振動板５７は、導電材料によるシート状の電極部を含む。本体部３３が導電材料により形成される場合、振動板５７は、電気絶縁材料による絶縁シートを含む。即ち、振動板５７は、電極部と絶縁シートによる積層構造とされる。電極部及び絶縁シートの各厚みは、数十μｍ〜数百μｍ程度とされる。積層構造の振動板５７は、絶縁シートが第一方向の第一側となり、電極部が第一方向の第二側となる状態で、第二面３４に設けられる。即ち、振動板５７の絶縁シートは、第二面３４と振動板５７の電極部に挟み込まれた状態となる。
【００４６】
圧電素子５８としては、ｄ３３モードの積層型の圧電素子が採用される（図３参照）。圧電素子５８は、第一方向の第一側及び第二側の各端面が正方形である四角柱形状を有する（図２及び図４参照）。圧電素子５８としては、１００ｎｍ以上変形可能な大型の圧電素子が採用される。参考例として、公知のインクジェットヘッドでは、圧電素子の変形量は、数十ｎｍ程度とされる。複数の圧電素子５８は、積層方向が第一方向に一致する状態で、振動板５７の第一方向の第二側の端面に第三方向に等間隔に並んで設けられる（図２、図３及び図４下段参照）。複数の圧電素子５８は、振動板５７の電極部に電気的に接続される。複数の圧電素子５８は、駆動信号の印可に伴い、第一方向に１００ｎｍ以上の所定量だけ変形する。圧力室３９（第一内面４２）に対する圧電素子５８の第二方向及び第三方向の配置については、後述する。
【００４７】
複数の拘束部５９は、複数の圧電素子５８にそれぞれ対応させた状態で、各圧電素子５８の第一方向の第二側に設けられる（図２及び図３参照）。拘束部５９は、圧電素子５８の第一方向の第二側の端面に接する。複数の拘束部５９は、第三方向に等間隔に並んで設けられる（図２参照）。従って、複数の拘束部５９は、第三方向に隣り合う拘束部５９と所定の間隔だけ離間する。複数の拘束部５９は、本体部３３と一体的にされる。複数の拘束部５９は、例えば、本体部３３の外縁部に固定される。この固定には、締結具が用いられる。締結具としては、ねじが例示される。図２及び図３では、締結具の図示は、省略されている。
【００４８】
＜圧力室＞
圧力室３９について、図２〜図４を参照して説明する。圧力室３９は、第一内面４２と、第二内面４３と、第三内面４４を含む（図３及び図４参照）。圧力室３９は、第一内面４２と第二内面４３と第三内面４４によって形成された空間である。第一内面４２は、第一方向の第一側に位置する。第一内面４２は、流入口４０と、流出口４１を含む。第二内面４３は、第一方向の第二側に位置する。第二内面４３は、第一内面４２と対向する。第二内面４３は、上述した通り、第一部分Ｐ１によって形成される（図３及び図４下段参照）。第三内面４４は、第一方向の第一側で第一内面４２と連続し、第一方向の第二側で第二内面４３と連続する。第三内面４４は、第一方向に沿った環状の壁面である（図２及び図４上段参照）。
【００４９】
第一内面４２及び第二内面４３は、第二方向の第一寸法Ｄ１が第三方向の第二寸法Ｄ２より長い形状を有する（図２及び図４下段参照）。第一内面４２及び第二内面４３は、共に第一基準線Ｌ１を対称軸とした線対称の形状を有する。第一内面４２及び第二内面４３は、共に第二基準線Ｌ２を対称軸とした線対称の形状を有する。
【００５０】
第三内面４４は、第一壁部４５と、第二壁部４６と、第三壁部４７と、第四壁部５１を含む（図４参照）。第一壁部４５は、第二方向に沿った第三内面４４の部分である。第一壁部４５は、第三方向の第五側に位置する。第二壁部４６は、第一壁部４５と対向する第二方向に沿った第三内面４４の部分である。第二壁部４６は、第三方向の第六側に位置する。第三壁部４７は、第一壁部４５の第二方向の第三側端及び第二壁部４６の第二方向の第三側端と連続する第三内面４４の部分である。第四壁部５１は、第一壁部４５の第二方向の第四側端及び第二壁部４６の第二方向の第四側端と連続する第三内面４４の部分である。
【００５１】
第三壁部４７は、第一平面部４８と、第二平面部４９と、第一曲面部５０を含む。第一平面部４８は、第二方向の第四側から第三側に向けて第三方向の第五側から第六側に傾斜する。第二平面部４９は、第二方向の第四側から第三側に向けて第三方向の第六側から第五側に傾斜する。第一曲面部５０は、第一平面部４８の第二方向の第三側端及び第二平面部４９の第二方向の第三側端と連続する。第一曲面部５０は、例えば、所定の曲率半径の曲面形状を有する。第三壁部４７では、流出口４１に対し、第一平面部４８が第三方向の第五側に位置し、第二平面部４９が第三方向の第六側に位置する（図４上段参照）。即ち、第一平面部４８と流出口４１と第二平面部４９は、第三方向に並んで設けられる。第一曲面部５０が所定の曲率半径の曲面形状を有する場合、前述の曲率半径の中心位置は、流出口４１と同様、第一基準線Ｌ１上とするとよい。
【００５２】
第四壁部５１は、第三平面部５２と、第四平面部５３と、第二曲面部５４を含む。第三平面部５２は、第二方向の第三側から第四側に向けて第三方向の第五側から第六側に傾斜する。第四平面部５３は、第二方向の第三側から第四側に向けて第三方向の第六側から第五側に傾斜する。第二曲面部５４は、第三平面部５２の第二方向の第四側端及び第四平面部５３の第二方向の第四側端と連続する。第二曲面部５４は、例えば、所定の曲率半径の曲面形状を有する。第四壁部５１では、流入口４０に対し、第三平面部５２が第三方向の第五側に位置し、第四平面部５３が第三方向の第六側に位置する（図４上段参照）。即ち、第三平面部５２と流入口４０と第四平面部５３は、第三方向に並んで設けられる。第二曲面部５４が所定の曲率半径の曲面形状を有する場合、前述の曲率半径の中心位置は、流入口４０と同様、第一基準線Ｌ１上とするとよい。
【００５３】
＜圧電素子の配置＞
１組の圧力室３９及び圧電素子５８に関し、第一内面４２に対する圧電素子５８の第二方向及び第三方向の配置について、図２〜図４を参照して説明する。複数の圧電素子５８は、複数の支流部３８の圧力室３９にそれぞれ対応させた状態で設けられる（図２及び図３参照）。圧電素子５８は、第一部分Ｐ１を挟んで圧力室３９と向かい合う。圧電素子５８は、第一内面４２の第二部分Ｐ２と第一方向に重なる第一部分Ｐ１の内部領域Ｒ（図３及び図４上段参照）に設けられる。第二部分Ｐ２は、第二方向において流入口４０と流出口４１の間で且つ第三方向において第一内面４２の両端より中心側となる第一内面４２の部分である（図４参照）。第二部分Ｐ２は、第三寸法Ｄ３及び第四寸法Ｄ４が第五寸法Ｄ５及び第六寸法Ｄ６より長くなる第一内面４２の部分である（図２及び図４下段参照）。図４に示す第一内面４２で、格子模様を付した菱形状の部分（２点鎖線）は、第二部分Ｐ２に対応する。
【００５４】
第三寸法Ｄ３は、圧電素子５８の第二方向の第三側端と第一内面４２の第二方向の第三側端の間の第二方向の距離である。第四寸法Ｄ４は、圧電素子５８の第二方向の第四側端と第一内面４２の第二方向の第四側端の間の第二方向の距離である。第五寸法Ｄ５は、圧電素子５８の第三方向の第五側端と第一内面４２の第三方向の第五側端の間の第三方向の距離である。第六寸法Ｄ６は、圧電素子５８の第三方向の第六側端と第一内面４２の第三方向の第六側端の間の第三方向の距離である。
【００５５】
図４では、第二部分Ｐ２は、圧電素子５８の第一方向の第一側の端面（正方形）と同一形状とされている。圧電素子５８は、上述した通り、第一方向の第一側及び第二側の各端面が正方形である四角柱形状である。従って、図４では、第二部分Ｐ２は、圧電素子５８の第一方向の第二側の端面とも同一形状となる。上記では、説明を省略したが、「Ｄ３，Ｄ４＞Ｄ５，Ｄ６」の関係を満足する第二部分Ｐ２は、次のような第一内面４２の部分ともいえる。即ち、第二部分Ｐ２は、「第一値＞第二値」を満足する第一内面４２の部分ともいえる。第一値は、第二方向の第一寸法Ｄ１から圧電素子５８の第二方向の寸法を差し引いた値である。第二値は、第三方向の第二寸法Ｄ２から圧電素子５８の第三方向の寸法を差し引いた値である。
【００５６】
＜インクの吐出＞
ノズル３１からのインクの吐出について、図３を参照して説明する。画像の記録時、制御部８１は、駆動信号の出力を制御する。この制御に応じて、ヘッド駆動部８２では、駆動信号の出力が開始される。駆動信号は、振動板５７の電極部に所定の周期で印加される。更に、制御部８１は、画像データに従い、吐出信号を生成する。画像データは、記録媒体１５に記録される画像に対応したデータである。画像データは、所定のアプリケーションプログラムを用いて生成され、制御部８１のストレージに記憶される。制御部８１は、ストレージから画像データを取得する。但し、画像データは、制御装置８０に接続された外部装置（不図示）から入力されてもよい。生成された吐出信号は、スイッチ部８３に入力される。吐出信号は、所定の電圧値の電気パルス信号である。スイッチ部８３では、入力された吐出信号に応じて、内蔵されたスイッチのうちの所定のスイッチが閉結される。
【００５７】
スイッチ部８３に内蔵された所定のスイッチが閉結されたタイミングで、振動板５７の電極部に駆動信号が印加されると、振動板５７上の複数の圧電素子５８のうち、閉結されたスイッチに接続された圧電素子５８に駆動信号が印加される。駆動信号が印加された圧電素子５８は、第一方向に変形する（図３の第二状態参照）。但し、圧電素子５８は、第一方向の第二側で拘束部５９と接する。そのため、圧電素子５８が変形する方向は、第一方向の第一側となる。圧電素子５８が変形する量は、上述した通り、１００ｎｍ以上の所定量となる。駆動信号が印加された圧電素子５８が第一方向の第一側に１００ｎｍ以上の所定量だけ変形することで、この圧電素子５８と接する第一部分Ｐ１が圧電素子５８の変形量に応じた量だけ第一方向の第一側に変形する。これに伴い、第一部分Ｐ１を内壁とする圧力室３９の容積が第一部分Ｐ１の変形量に応じた量だけ縮小する。圧力室３９の容積の縮小に伴う圧力は、縮小した圧力室３９内のインクに作用する。これにより、圧力室３９に第二流路部５６を介して繋がるノズル３１では、インクが吐出される。図３の第二状態で、ノズル３１の近傍の黒丸は、ノズル３１から吐出されたインクに対応する。
【００５８】
圧電素子５８は、閉結されたスイッチの開放及び駆動信号の未出力の一方又は両方に伴い、変形前の状態に戻る（図３の第一状態参照）。圧電素子５８は、この圧電素子５８が接続されたスイッチ部８３のスイッチの閉結と所定の周期の駆動信号の印加が一致する度に、繰り返して変形する。スイッチの閉結は、吐出信号の入力に伴い行われる。圧電素子５８の変形が繰り返されると、繰り返して変形する圧電素子５８に対応した第一部分Ｐ１も、繰り返して変形する。その結果、変形する第一部分Ｐ１を内壁とする圧力室３９に第二流路部５６を介して繋がるノズル３１では、インクが繰り返して吐出される。
【００５９】
＜実施形態の効果＞
実施形態によれば、次のような効果を得ることができる。
【００６０】
（１）圧力室３９では、第一内面４２及び第二内面４３は、第二方向の第一寸法Ｄ１が第三方向の第二寸法Ｄ２より長い形状を有する（図２及び図４下段参照）。圧電素子５８は、積層型の圧電素子である（図３参照）。圧電素子５８は、振動板５７の第一方向の第二側で、第一部分Ｐ１の内部領域Ｒに設けられる（図３参照）。第一部分Ｐ１は、第二内面４３を形成する（図３及び図４下段参照）。第一部分Ｐ１の内部領域Ｒは、第二部分Ｐ２と第一方向に重なる第一部分Ｐ１の領域である（図３及び図４上段参照）。インクジェットヘッド３０では、第二部分Ｐ２は、次のように設定される第一内面４２の部分である。即ち、第二部分Ｐ２は、第二方向において流入口４０と流出口４１の間で且つ第三方向において第一内面４２の両端より中心側となる第一内面４２の部分である（図３及び図４上段参照）。更に、第二部分Ｐ２は、第二方向の第三寸法Ｄ３及び第二方向の第四寸法Ｄ４が第三方向の第五寸法Ｄ５及び第三方向の第六寸法Ｄ６より長くなる第一内面４２の部分である（Ｄ３，Ｄ４＞Ｄ５，Ｄ６  図２及び図４下段参照）。
【００６１】
そのため、圧電素子５８の変形量を大きくすることができる。圧電素子５８の底面積が第一部分Ｐ１の面積より小さくなる。圧力室３９のインク内で、圧電素子５８の変形に伴う圧力を伝播させることができる。圧力室３９でのインクの流れに関し、第三方向より第二方向にインクを流し易くすることができる。圧電素子５８の変形に伴い、圧力室３９のインクを第二方向に流すことができる。圧力室３９のインクを流出口４１から流出することができる。ノズル３１からインクを吐出することができる。粘度の高いインクについても、ノズル３１から吐出することができる。
【００６２】
（２）圧電素子５８は、第一方向の第一側及び第二側の各端面が正方形である四角柱形状を有する（図２及び図４参照）。そのため、圧電素子５８を第一部分Ｐ１の内部領域Ｒに取り付ける場合、圧電素子５８の端面を形成する正方形の各辺と第二方向及び第三方向の関係に留意することなく、圧電素子５８を取り扱うことができる。インクジェットヘッド３０の組み立てを容易にすることができる。
【００６３】
（３）圧力室３９では、第三内面４４で、第三壁部４７は、第一平面部４８と、第二平面部４９を含み、第四壁部５１は、第三平面部５２と、第四平面部５３を含む（図４参照）。第一平面部４８は、第二方向の第四側から第三側に向けて第三方向の第五側から第六側に傾斜する。第二平面部４９は、第二方向の第四側から第三側に向けて第三方向の第六側から第五側に傾斜する。第三平面部５２は、第二方向の第三側から第四側に向けて第三方向の第五側から第六側に傾斜する。第四平面部５３は、第二方向の第三側から第四側に向けて第三方向の第六側から第五側に傾斜する。
【００６４】
そのため、インクの吐出時、圧電素子５８に印可される駆動信号の電圧値を低下させることができる。低電圧の駆動信号にて、ノズル３１からインクを吐出することができる。この点に関し、発明者は、実験を行った。実験では、合計３個のインクジェットヘッドをサンプルとした。サンプル１は、圧力室を次の形状としたインクジェットヘッドである。前述の形状は、第一内面及び第二内面が円形で、第三内面が円筒面である。サンプル１では、上述の第一寸法Ｄ１及び第二寸法Ｄ２に対応する各寸法は、同一値となる。サンプル１では、上述の第三寸法Ｄ３、第四寸法Ｄ４、第五寸法Ｄ５及び第六寸法Ｄ６に対応する各寸法は、全て同一値となる。サンプル２は、図２〜図４に示すインクジェットヘッド３０に対応するインクジェットヘッドである。サンプル３は、後述する図５に示すインクジェットヘッド３０に対応するインクジェットヘッドである。実験では、サンプル１〜３を対象として、インクを吐出可能な駆動信号の電圧値を計測した。
【００６５】
サンプル１，３では、圧電素子は、サンプル２の圧電素子５８と同一仕様の積層型の圧電素子を採用した。サンプル１，２及びサンプル３では、流入口及び流出口の第二方向の中心間距離（Ｄ７＋Ｄ８  図４上段参照）は、同一値とした。サンプル１，２及びサンプル３では、粘度が１００ｃＰである同一仕様のインクを、ノズルから吐出させた。詳細は省略するが、サンプル１，２及びサンプル３では、この他の点についても、同一条件とした。
【００６６】
実験の結果、サンプル１では、インクを吐出できた駆動信号の最低電圧は、７５Ｖであった。これに対し、サンプル２では、インクを吐出できた駆動信号の最低電圧は、４５Ｖであった。サンプル２によれば、粘度が１００ｃＰのインクを吐出する場合、サンプル１と比較し、駆動信号の電圧を３０Ｖ低下させることができた。サンプル３を対象とした実験の結果については、後述する。
【００６７】
＜変形例＞
実施形態は、次のようにすることもできる。以下に示す変形例のうちの幾つかの構成は、適宜組み合わせて採用することもできる。以下では、上記とは異なる点を説明することとし、同様の点についての説明は、適宜省略する。
【００６８】
（１）インクジェット記録装置１０では、記録媒体１５への画像の記録は、移動部６５によりキャリッジ６０を第二方向に往復移動させながら行われる（図１参照）。インクジェット記録装置としては、インクジェット記録装置１０とは異なるタイプの装置が実用化されている。この異なるタイプのインクジェット記録装置は、ライン型と称されるインクジェットヘッドを備える。圧力室３９の構成は、上記同様、ライン型のインクジェットヘッドに採用することもできる。但し、ライン型のインクジェットヘッドでは、流入口と流出口が並ぶ第二方向は、搬送方向に沿った方向に交差（例えば、直交）し、第三方向は、搬送方向に沿った方向に一致する。第一方向、第二方向及び第三方向が互いに交差（例えば、直交）する点は、上記同様である。ライン型のインクジェットヘッドでは、例えば、複数のノズルは、第三方向に一致することとなる搬送方向に沿った方向に直交する方向に配列され、内部流路の本流部は、第三方向に一致することとなる搬送方向に沿った方向に形成される。ライン型のインクジェットヘッドとこれを備えるインクジェット記録装置は、既に実用化された公知の構成である。従って、これらに関するこの他の説明は、省略する。
【００６９】
（２）圧力室３９では、第三内面４４で、第三壁部４７は、第一平面部４８と、第二平面部４９と、第一曲面部５０を含み、第四壁部５１は、第三平面部５２と、第四平面部５３と、第二曲面部５４を含む（図４参照）。第三壁部は、第一平面部４８と第二平面部４９を含まない形状としてもよい。第四壁部は、第三平面部５２と第四平面部５３を含まない形状としてもよい。例えば、圧力室３９では、第三内面４４で、第三壁部４７は、図５に示すように、全体が曲面形状である壁面であってもよい。圧力室３９では、第三内面４４で、第四壁部５１は、図５に示すように、全体が曲面形状である壁面であってもよい。前述の曲面形状としては、所定の曲率半径の半円形状が例示される（図５参照）。図５では、図２〜図４との対応を明らかにするため、各部に対する符号は、上記と同様としている。図５に示すインクジェットヘッド３０と図２〜図４に示すインクジェットヘッド３０の相違は、第三壁部４７及び第四壁部５１の各形状である。
【００７０】
上述した通り、発明者は、図５に示すインクジェットヘッド３０をサンプル３として、上記の実験を行った。実験の結果、サンプル３では、インクを吐出できた駆動信号の最低電圧は、５５Ｖであった。サンプル３によれば、粘度が１００ｃＰのインクを吐出する場合、サンプル１と比較し、駆動信号の電圧を２０Ｖ低下させることができた。
【００７１】
今回の実験により、発明者は、図２〜図４及び図５に示す各インクジェットヘッド３０の有効性を確認した。特に、発明者は、サンプル１〜３の比較から、図２〜図４に示すインクジェットヘッド３０での圧力室３９の形状が駆動信号の電圧値を低下させる上で、より好ましい形状であることを確認した。ここで、サンプル２，３の比較によれば、圧力室３９で第三内面４４を、次の構成としたことの有効性が確認できる。前述の構成は、第三壁部４７に第一平面部４８及び第二平面部４９を設け、第四壁部５１に第三平面部５２及び第四平面部５３を設けた構成である。発明者は、このような構成は、圧電素子のタイプに関わらず、駆動信号の電圧値を低下させる上で有効であると考える。例えば、発明者は、このような構成は、積層型ではない圧電素子を採用するインクジェットヘッドにも採用可能であると考える。
【００７２】
第三内面では、第三壁部は、第一平面部４８に対応する第一平面部と第二平面部４９に対応する第二平面部による入隅形状としてもよい。この場合、第三壁部は、第一曲面部５０を含まない。第三壁部では、第一平面部の第二方向の第三側端及び第二平面部の第二方向の第三側端は、直接接する。第三内面では、第四壁部は、第三平面部５２に対応する第三平面部と第四平面部５３に対応する第四平面部による入隅形状としてもよい。この場合、第四壁部は、第二曲面部５４を含まない。第四壁部では、第三平面部の第二方向の第四側端及び第四平面部の第二方向の第四側端は、直接接する。この他、第三内面では、第三壁部は、３個以上の平面部を組み合わせた形状としてもよい。例えば、第三壁部では、第一曲面部５０に対応する部分は、第一平面部の第二方向の第三側端及び第二平面部の第二方向の第三側端と連続する平面部としてもよい。第三内面では、第四壁部は、３個以上の平面部を組み合わせた形状としてもよい。例えば、第四壁部では、第二曲面部５４に対応する部分は、第三平面部の第二方向の第四側端及び第四平面部の第二方向の第四側端と連続する平面部としてもよい。
【００７３】
（３）インクジェットヘッド３０では、複数の拘束部５９は、本体部３３の外縁部に固定される（図２及び図３参照）。インクジェットヘッドでは、本体部と複数の拘束部は、次のように固定されてもよい。即ち、インクジェットヘッドには、所定の形状のフレーム部が設けられる。本体部と複数の拘束部は、このフレーム部に固定される。複数の拘束部は、上記同様、第三方向に隣り合う拘束部と所定の間隔だけ離間した状態で、第三方向に並んで設けられる。
【００７４】
（４）インクジェットヘッド３０では、複数の圧電素子５８は、積層方向が第一方向に一致する状態で、振動板５７の第一方向の第二側の端面に設けられる（図２、図３及び図４下段参照）。振動板５７は、一体的な構成とされ、複数の圧電素子５８に対して１枚とされる（図２参照）。インクジェットヘッド３０では、全ての圧電素子５８が一体的な振動板５７の第一方向の第二側の端面に設けられる。振動板５７は、１個又は２個以上の所定数の圧電素子５８に対応させて分割された構成としてもよい。例えば、圧電素子５８が４個である場合、振動板５７は、図６に示すように、第三方向に分割板９１，９２，９３，９４に４分割された構成としてもよい。図６では、図２〜図４との対応を明らかにするため、各部に対する符号は、上記と同様としている。
【００７５】
分割板９１，９２，９３，９４は、各圧力室３９に対応させた状態で、第二面３４に第三方向に並んで設けられる。分割板９１，９２，９３，９４は、図２〜図４に示す振動板５７と同様、各圧力室３９の第二内面４３を形成する。圧力室３９の第二内面４３を形成する分割板９１，９２，９３，９４の各部分は、上述した振動板５７の第一部分Ｐ１（図４参照）に対応する。分割板９１，９２，９３，９４は、図２〜図４に示す振動板５７と同様、電極部と絶縁シートによる積層構造とされる。分割板９１，９２，９３，９４には、１個の圧電素子５８がそれぞれ上記同様に設けられる。複数の圧電素子５８のうちの何れかの圧電素子５８の変形に伴う振動が分割板９１，９２，９３，９４の間を伝達されることを抑制することができる。図６に示すインクジェットヘッド３０を図２に示すＡ−Ａ線に対応する位置で切断した場合、その構造は、図３と同様となる。
【００７６】
図６とは異なり、振動板は、例えば、第三方向に２分割された構成としてもよい（不図示）。この場合、２分割された振動板の各分割板は、各圧力室３９に対応させた状態で、第二面３４に第三方向に並んで設けられる。２分割された振動板の各分割板は、図２〜図４に示す振動板５７と同様、各支流部３８を形成する壁面の一部となる。２分割された振動板の各分割板は、図２〜図４に示す振動板５７と同様、電極部と絶縁シートによる積層構造とされる。圧電素子５８が４個である場合、２分割された振動板の各分割板には、２個の圧電素子５８がそれぞれ上記同様に設けられる。複数の圧電素子５８のうちの何れかの圧電素子５８の変形に伴う振動が２分割された振動板の間を伝達されることを抑制することができる。振動板を複数の分割板に分割する場合、分割数は、諸条件を考慮して適宜決定される。
【００７７】
（５）インクジェット記録装置１０では、第一方向は、鉛直方向とされる（図１、図３及び図４参照）。インクジェット記録装置では、第一方向は、鉛直方向とは異なる方向であってもよい。例えば、インクジェット記録装置では、第一方向は、水平方向であってもよい。第一方向の向きに関わらず、第二方向は、第一方向に交差する方向とされ、第三方向は、第一方向及び第二方向の両方向に交差する方向とされる。
【符号の説明】
【００７８】
１０  インクジェット記録装置、  １５  記録媒体、  ２０  搬送部
３０，３０Ｋ，３０Ｍ，３０Ｙ，３０Ｃ  インクジェットヘッド、  ３１  ノズル
３２  第一面、  ３３  本体部、  ３４  第二面、  ３５  供給口、  ３６  内部流路
３７  本流部、  ３８  支流部、  ３９  圧力室、  ４０  流入口
４１  流出口、  ４２  第一内面、  ４３  第二内面、  ４４  第三内面
４５  第一壁部、  ４６  第二壁部、  ４７  第三壁部、  ４８  第一平面部
４９  第二平面部、  ５０  第一曲面部、  ５１  第四壁部、  ５２  第三平面部
５３  第四平面部、  ５４  第二曲面部、  ５５  第一流路部、  ５６  第二流路部
５７  振動版、  ５８  圧電素子、  ５９  拘束部、  ６０  キャリッジ
６１  ステー、  ６５  移動部、  ６６，６７  プーリ、  ６８  タイミングベルト
６９  モータ、  ７０Ｋ，７０Ｍ，７０Ｙ，７０Ｃ  メインタンク
７１Ｋ，７１Ｍ，７１Ｙ，７１Ｃ  供給流路
７２Ｋ，７２Ｍ，７２Ｙ，７２Ｃ  サブタンク
７３，７３Ｋ，７３Ｍ，７３Ｙ，７３Ｃ  接続流路、  ８０  制御装置
８１  制御部、  ８２  ヘッド駆動部、  ８３  スイッチ部
９１，９２，９３，９４  分割板、  Ｄ１  第一寸法、  Ｄ２  第二寸法
Ｄ３  第三寸法、  Ｄ４  第四寸法、  Ｄ５  第五寸法、  Ｄ６  第六寸法
Ｄ７  第七寸法、  Ｄ８  第八寸法、  Ｌ１  第一基準線、  Ｌ２  第二基準線
Ｐ１  第一部分、  Ｐ２  第二部分、  Ｒ  内部領域
【図１】
2019111771.tif 000003
【図２】
2019111771.tif 000004
【図３】
2019111771.tif 000005
【図４】
2019111771.tif 000006
【図５】
2019111771.tif 000007
【図６】
2019111771.tif 000008